【手続補正書】
【提出日】平成19年3月2日(2007.3.2)
【手続補正１】
【補正対象書類名】明細書
【補正対象項目名】特許請求の範囲
【補正方法】変更
【補正の内容】
【特許請求の範囲】
【請求項１】  電気スイッチを電気的に接続させるための電気スイッチ用コネクタ組立体において、
ハウジングと、
前記ハウジング内に配置された複数の電線と、
前記ハウジング内に配置された複数の接触部材とを具備し、前記接触部材は、所定の位置において前記複数の電線にそれぞれ接続される前記接触部材の第一の端部と、電気スイッチの接触部に接続するための前記接触部材の第二の端部とを有しており、
さらに、
前記ハウジング上に取付けられた前記複数の電線を保持するために、前記ハウジングと共に協動して前記ハウジング上に取付けられるカバー手段と、
前記複数の電線上における歪みを解放させると共に、前記複数の電線が前記複数の接触部材の前記第一の端部に接続されている前記所定の位置に、前記複数の電線に及ぼされる歪みが伝達されるのを妨げるために、前記ハウジング上に取付けられていて前記カバー手段と共に協動する歪み解放手段とを具備する電気スイッチ用コネクタ組立体。
【請求項２】  前記複数の接触部材の前記第一の端部がスロット式の絶縁被覆部切取式接触部を具備する請求項１に記載の電気スイッチ用コネクタ組立体。
【請求項３】  前記カバー手段が複数のフィンガを具備しており、これら複数のフィンガはこれら複数のフィンガ間に形成されたスロットによって隔離されており、それにより、前記カバー手段が前記ハウジング上に取付けられるときに前記複数のフィンガは前記複数の電線に関して櫛形電極のように配置され、前記複数の電線が前記カバー手段の前記複数のフィンガの間に形成された前記スロットの端部の間、および前記複数の接触部材の前記スロット付き絶縁被覆部切取式接触部内に形成されたスロットの端部の間に効果的に捕らえられることによって、前記複数の電線が前記ハウジング上に取付けられて保持される請求項２に記載の電気スイッチ用コネクタ組立体。
【請求項４】  前記複数の電線を前記複数の接触部材の前記スロット付き絶縁被覆部切取式接触部に終端接続する前に、前記ハウジングが前記ハウジング内の所定の位置において前記複数の電線を保持するための複数のフィンガを具備している請求項２に記載の電気スイッチ用コネクタ組立体。
【請求項５】  電気スイッチ用コネクタ組立体において、
第一の移動止め手段および第二の移動止め手段が、前記カバー手段と前記歪み解放手段とを係合させるために前記ハウジング上に取付られており、
前記カバー手段と前記歪み解放手段とのそれぞれが、前記ハウジング上に取付けられた前記第一の移動止め手段および前記第二の移動止め手段にスナップ係合するために可撓性を有する係合手段を具備しており、それにより前記カバー手段と前記歪み解放手段とが前記ハウジング上に取付られた位置に保持されるようにした請求項１に記載の電気スイッチ用コネクタ組立体。
【請求項６】  前記ハウジングに取付けられた前記第一の移動止め手段および前記第二の移動止め手段にスナップ係合するために、前記カバー手段と前記歪み解放手段との可撓性を有する前記係合手段が、前記ハウジング上に取付けられた前記第一の移動止め手段および前記第二の移動止め手段を取り囲む第一のフレームワーク手段および第二のフレームワーク手段をそれぞれ具備している請求項５に記載の電気スイッチ用コネクタ組立体。
【請求項７】  前記カバー手段と前記歪み解放手段とが前記ハウジング上に取付けられるときに、前記歪み解放手段の前記第二のフレームワーク手段が前記カバー手段の前記第一のフレームワーク手段の内部に配置されるようにした請求項６に記載の電気スイッチ用コネクタ組立体。
【請求項８】  電気スイッチ用コネクタ組立体において、
前記ハウジングが主要なハウジング部と第二のハウジング部とを具備し、
内部相互接続手段が前記第二のハウジング部の一端を、可撓性を有する片持ち梁のように前記主要なハウジング部に相互接続し、それにより、前記ハウジングを形状と寸法とが異なるスイッチ構成要素に電気的に係合させうるようにした請求項１に記載の電気スイッチ用コネクタ組立体。
【請求項９】  前記ハウジングの外面に取付けられた補助の電気的構成要素をさらに具備する請求項１に記載の電気スイッチ用コネクタ組立体。
【請求項１０】  前記補助の電気的構成要素が、前記ハウジングの前記複数の接触部材のうちの一つと、前記電気スイッチ用コネクタ組立体が電気的に接続される電気スイッチの接触部材との間を電気的に相互接続させるためのインラインのダイオードを具備する請求項９に記載の電気スイッチ用コネクタ組立体。
【請求項１１】  前記補助の電気的構成要素が、前記複数のハウジング接触部材のうちの二つの間を電気的に相互接続させるためのジャンパ用ダイオードを具備する請求項９に記載の電気スイッチ用コネクタ組立体。
【請求項１２】  電気スイッチを電気的に接続させるための電気スイッチ用コネクタ組立体において、
ハウジングと、
前記ハウジング内に配置された複数の電線と、
前記ハウジング内に配置された複数の接触部材とを具備し、前記複数の接触部材は所定の位置において前記複数の電線にそれぞれ接続された前記複数の接触部材の第一の端部と、電気スイッチの接触部に接続するための前記複数の接触部材の第二の端部とを有しており、
さらに、
前記ハウジング内に取付けられた前記複数の電線を保持するために、前記ハウジングと共に協動して前記ハウジング上に取付けられるカバー手段と、
前記複数の電線における歪みを解放させるために前記カバー手段と共に協動して前記カバー手段上に設置されている歪み解放手段とを具備し、その結果、前記複数の電線が前記複数の接触部材の前記第一の端部に接続されている前記所定の位置に、前記複数の電線上に及ぼされる歪みが伝達されるのを妨げるようにした電気スイッチ用コネクタ組立体。
【請求項１３】  前記複数の接触部材の前記第一の端部がスロット付き絶縁被覆部切取式接触部を具備する請求項１２に記載の電気スイッチ用コネクタ組立体。
【請求項１４】  前記カバー手段が複数のフィンガを具備しており、これら複数のフィンガはこれら複数のフィンガ間に形成されたスロットによって隔離されており、それにより、前記カバー手段が前記ハウジング上に取付けられるときに前記複数のフィンガは前記複数の電線に関して櫛形電極のように配置され、前記複数の電線が前記カバー手段の前記複数のフィンガの間に形成された前記スロットの端部の間、および前記複数の接触部材の前記スロット付き絶縁被覆部切取式接触部内に形成されたスロットの端部の間に効果的に捕らえられることによって、前記複数の電線が前記ハウジング上に取付けられて保持される請求項１３に記載の電気スイッチ用コネクタ組立体。
【請求項１５】  前記複数の電線を前記複数の接触部材の前記スロット付き絶縁被覆部切取式接触部に終端接続する前に、前記ハウジングが前記ハウジング内の所定の位置において前記複数の電線を保持するための複数のフィンガを具備している請求項１３に記載の電気スイッチ用コネクタ組立体。
【請求項１６】  電気スイッチ用コネクタ組立体において、
第一の移動止め手段および第二の移動止め手段が、前記カバー手段と前記歪み解放手段とを係合させるために前記ハウジング上に取付られており、
前記カバー手段と前記歪み解放手段とのそれぞれが、前記ハウジング上に取付けられた前記第一の移動止め手段および前記第二の移動止め手段にスナップ係合するために可撓性を有する係合手段を具備しており、それにより前記カバー手段と前記歪み解放手段とが前記ハウジング上に取付られた位置に保持されるようにした請求項１２に記載の電気スイッチ用コネクタ組立体。
【請求項１７】  前記ハウジングに取付けられた前記第一の移動止め手段および前記第二の移動止め手段にスナップ係合するために、前記カバー手段と前記歪み解放手段との可撓性を有する前記係合手段が、前記ハウジング上に取付けられた前記第一の移動止め手段および前記第二の移動止め手段を取り囲む第一のフレームワーク手段および第二のフレームワーク手段をそれぞれ具備している請求項１６に記載の電気スイッチ用コネクタ組立体。
【請求項１８】  前記カバー手段と前記歪み解放手段とが前記ハウジング上に取付けられるときに、前記歪み解放手段の前記第二のフレームワーク手段が前記カバー手段の前記第一のフレームワーク手段の内部に配置されるようにした請求項１７に記載の電気スイッチ用コネクタ組立体。
【請求項１９】  電線と電気スイッチの電気的プロング接触部とを電気的に相互接続するための電気的接触部において、
電線を係合させるための前記電気的接触部の第一の端部上に形成される第一の手段を具備し、該第一の手段は前記電線を前記電気的接触部の前記第一の端部に固定して接続することができ、
さらに、
電気スイッチの電気的プロング接触部の開口部内に挿入させるために前記電気的接触部の第二の端部上に形成されるくぼみ手段を具備し、該くぼみ手段は前記電気スイッチの前記電気的プロング接触部を電気的に係合させて所定の保持力によって前記電気スイッチの前記電気的プロング接触部を物理的に接続して維持することができる電気的接触部。
【請求項２０】  前記電線を係合させるための前記電気的接触部の前記第一の手段が絶縁被覆部切取式接触部を具備しており、
前記電気的接触部の前記第二の端部が板バネ形式の電気的接触部を具備しており、
前記くぼみ手段が前記板バネ形式の電気的接触部の頂点部に配置されている請求項１９に記載の電気的接触部。
【請求項２１】  複数の電線と電気スイッチの電気的プロング接触部とを電気的に相互接続するための電気的接触部用ハウジング組立体において、
ハウジング部材と、
前記ハウジング部材内に配置される複数の電気的接触部と、
電線を係合させるための前記複数の電気的接触部の第一の端部上に形成される第一の手段とを具備し、該第一の手段は前記電線を前記電気的接触部の前記第一の端部に固定して取付けることができ、
さらに、
電気スイッチの電気的プロング接触部の開口部内に挿入するために前記複数の電気的接触部の少なくとも一つの第二の端部上に形成されるくぼみ手段を具備し、該くぼみ手段は前記電気スイッチの前記電気的プロング接触部を電気的に係合させて所定の保持力によって前記電気スイッチの前記電気的プロング接触部を物理的に接続して維持することができる電気的接触部用ハウジング組立体。
【請求項２２】  電気的接触部用ハウジング組立体において、
前記電線を係合させるための前記複数の電気的接触部の前記第一の手段が絶縁被覆部切取式接触部を具備しており、
前記複数の電気的接触部の第二の端部が板バネ形式の電気的接触部を具備しており、
前記複数の電気的接触部の前記少なくとも一つの前記第二の端部上に配置される前記くぼみ手段が前記板バネ形式の電気的接触部の頂点部に配置されるようにした請求項２１に記載の電気的接触部用ハウジング組立体。